【手続補正書】
【提出日】平成16年9月16日(2004.9.16)
【手続補正１】
【補正対象書類名】明細書
【補正対象項目名】特許請求の範囲
【補正方法】変更
【補正の内容】
【特許請求の範囲】
【請求項１】
第１の情報の加工に用いられる情報であり、該第１の情報ごとに個別の個別情報を記憶する記憶部を有するタグが付加された情報格納物に新たな情報を追加する情報追加装置であって、
前記記憶部に記憶された個別情報を読み取る読取部と、
前記第１の情報を入力する入力部と、
前記読取部で読み取られた前記個別情報と前記入力部で入力された前記第１の情報に対して特定の加工条件で加工する加工部と、
前記加工部で加工された加工情報を前記情報格納物に追加する追加部を備えることを特徴とする情報追加装置。
【請求項２】
第１の情報の加工に用いられる情報であり、該第１の情報ごとに個別の個別情報を記憶する記憶部を有するタグが付加され、該第１の情報と該個別情報に対して加工した加工情報を保持する情報格納物の情報を判定する情報判定装置であって、
前記加工情報を読み取る第１の読取部と、
前記個別情報を読み取る第２の読取部と、
前記第１の読取部で読み取られた前記加工情報を逆加工して、加工前の前記第１の情報及び前記個別情報に戻す逆加工部と、
前記逆加工部で戻された前記個別情報と前記第２の読取部で読み取られた前記個別情報が一致しているかどうかを判定する第１の判定部を備えることを特徴とする情報判定装置。
【請求項３】
個人情報の加工に用いられる情報であり、該個人ごとに個別の個別情報を記憶する記憶部を有するタグが付加されたカードに新たな情報を追加するカード作成装置であって、
前記記憶部に記憶された個別情報を読み取る読取部と、
前記個人情報を入力する入力部と、
前記読取部で読み取られた前記個別情報と前記入力部で入力された前記個人情報に対して特定の加工条件で加工する加工部と、
前記加工部で加工された加工情報を前記カードに追加する追加部を備えることを特徴とするカード作成装置。
【請求項４】
前記加工は、対称暗号、非対称暗号、デジタル認証、あるいは、関数変換による加工であることを特徴とする請求項３に記載のカード作成装置。
【請求項５】
前記特定の加工条件は、対象暗号の暗号鍵、非対称暗号の暗号鍵、デジタル認証の復号鍵、あるいは、関数変換の関数であることを特徴とする請求項３に記載のカード作成装置。
【請求項６】
前記個人情報は、指紋情報、パスワード、氏名、住所、あるいは、個人ＩＤであることを特徴とする請求項３に記載のカード作成装置。
【請求項７】
前記追加は、電子的、印刷的、あるいは、磁気的な追加であることを特徴とする請求項３に記載のカード作成装置。
【請求項８】
個人情報を加工するための情報であり、該個人ごとに個別の個別情報を記憶する記憶部を有するタグが付加され、該個人情報と該個別情報に対して加工した加工情報を保持するカードの情報を判定するカード判定装置であって、
前記加工情報を読み取る第１の読取部と、
前記個別情報を読み取る第２の読取部と、
前記第１の読取部で読み取られた前記加工情報を逆加工して、加工前の前記個人情報及び前記個別情報に戻す逆加工部と、
前記逆加工部で戻された前記個別情報と前記第２の読取部で読み取られた前記個別情報が一致しているかどうかを判定する第１の判定部を備えることを特徴と
するカード判定装置。
【請求項９】
前記個人情報を入力する入力部と、
前記第１の判定部で前記個別情報が一致している場合に、前記逆加工部で戻された前記個人情報と前記入力部で入力された前記個人情報が一致しているかどうかを判定する第２の判定部を備え、前記個人情報の照合を行うことを特徴とする請求項８に記載のカード判定装置。
【請求項１０】
前記第１の判定部で前記個別情報が一致している場合に、前記逆加工部で戻された前記個人情報を外部に出力し、前記個人情報の使用・利用が可能となることを特徴とする請求項８に記載のカード判定装置。
【請求項１１】
前記第１の判定部で前記個別情報が一致している場合に、前記逆加工部で戻された前記個人情報を表示し、前記個人情報の確認が可能となることを特徴とする請求項８に記載のカード判定装置。
【請求項１２】
前記第１の判定部で前記個別情報が一致している場合に、前記逆加工部で戻された前記個人情報と、予め前記カードに表記された個人情報が一致しているかどうかを判定する第２の判定部を備え、前記個人情報の確認を行うことを特徴とする請求項８に記載のカード判定装置。
【請求項１３】
前記加工は、対称暗号、非対称暗号、デジタル認証、あるいは、関数変換による加工であることを特徴とする請求項８ないし１２に記載のカード判定装置。
【請求項１４】
前記逆加工は、対称暗号の復号、非対称暗号の復号、デジタル認証の復号、関数変換の逆変換による逆加工であることを特徴とする請求項８ないし１２に記載のカード判定装置。
【請求項１５】
前記個人情報は、指紋情報、パスワード、氏名、住所、あるいは、個人ＩＤであることを特徴とする請求項８ないし１２に記載のカード判定装置。
【請求項１６】
前記保持は、電子的、印刷的、あるいは、磁気的な保持であることを特徴とする請求項８ないし１２に記載のカード判定装置。
【請求項１７】
個人情報を加工するための情報であり、該個人ごとに個別の個別情報を記憶する記憶部を有するタグが付加されたカードに新たな情報を追加する情報追加方法であって、
前記記憶部に記憶された個別情報を読み取る読取ステップと、
前記個人情報を入力する入力ステップと、
前記読取ステップで読み取られた前記個別情報と前記入力ステップで入力された前記個人情報に対して特定の加工条件で加工する加工ステップと、
前記加工ステップで加工された加工情報を前記カードに追加する追加ステップを備えることを特徴とする情報追加方法。
【請求項１８】
個人情報の加工に用いられる情報であり、該個人ごとに個別の個別情報を記憶する記憶部を有するタグが付加され、該個人情報と該個別情報に対して加工した加工情報を保持するカードの情報を判定する情報判定方法であって、
前記加工情報を読み取る第１の読取ステップと、
前記個別情報を読み取る第２の読取ステップと、
前記第１の読取ステップで読み取られた前記加工情報を逆加工して、加工前の前記個人情報及び前記個別情報に戻す逆加工ステップと、
前記逆加工ステップで戻された前記個別情報と前記第２の読取ステップで読み取られた前記個別情報が一致しているかどうかを判定する判定ステップを備えることを特徴とする情報判定方法。
【請求項１９】
メディア情報の加工に用いられる情報であり、該メディアの内容ごとに個別の個別情報を記憶する記憶部を有するタグが付加され、該メディア情報の代わりに、
該メディア情報と該個別情報に対して加工した加工情報を記憶する記憶媒体を装着し、該メディア情報の再生を行う記憶媒体再生装置であって、
前記加工情報を読み取る第１の読取部と、
前記個別情報を読み取る第２の読取部と、
前記第１の読取部で読み取られた前記加工情報を、前記第２の読取部で読み取られた前記個別情報を用いて逆加工して、加工前の前記メディア情報に戻す逆加工部と、
前記逆加工部で戻された前記メディア情報を再生する再生部を備えることを特徴とする記憶媒体再生装置。
【請求項２０】
前記加工は、対称暗号、非対称暗号、デジタル認証、あるいは、関数変換による加工であることを特徴とする請求項１９に記載の記憶媒体再生装置。
【請求項２１】
前記逆加工は、対称暗号の復号、非対称暗号の復号、デジタル認証の復号、関数変換の逆変換による逆加工であることを特徴とする請求項１９に記載の記憶媒体再生装置。
【請求項２２】
前記メディア情報は、映像情報、音声情報、あるいは、ゲーム情報であることを特徴とする請求項１９に記載の記憶媒体再生装置。